(57)【要約】【課題】天然芝グラウンドで競技を行っている最中に天然芝グラウンドへの水の供給を行うことができる灌水システムを提供する。【解決手段】一実施形態に係る灌水システムは、複数の領域Ａ１，Ａ２に区分けされた天然芝グラウンドに対し、各領域Ａ１，Ａ２に灌水を行う灌水システム１であって、天然芝グラウンドの各領域Ａ１，Ａ２の地下に埋め込まれると共に、内部に水が通り、水が地下に滲出する孔を有する複数のパイプ９と、領域Ａ１，Ａ２ごとに設けられて各領域Ａ１，Ａ２の土壌水分、土壌温度及び土壌中酸素を検出する複数のセンサユニット２０と、複数のセンサユニット２０のそれぞれによって検出された土壌水分、土壌温度及び土壌中酸素に応じて複数のパイプ９のそれぞれへの水の供給を制御するコントローラ３０と、を備える。【選択図】図２
2018166505.tif 000002
【特許請求の範囲】
【請求項１】
複数の領域に区分けされた天然芝グラウンドに対し、前記各領域に灌水を行う灌水システムであって、
前記天然芝グラウンドの前記各領域の地下に埋め込まれると共に、内部に水が通り、前記水が前記地下に滲出する孔を有する複数のパイプと、
前記領域ごとに設けられて前記各領域の土壌水分、土壌温度及び土壌中酸素を検出する複数のセンサユニットと、
前記複数のセンサユニットのそれぞれによって検出された土壌水分、土壌温度及び土壌中酸素に応じて前記複数のパイプのそれぞれへの水の供給を制御するコントローラと、
を備える灌水システム。
【請求項２】
前記複数のパイプのそれぞれを通る水に気泡を供給する気泡供給装置を備える、
請求項１に記載の灌水システム。
【請求項３】
前記センサユニットは、前記天然芝グラウンドの芝生の表面温度を検出する芝生表面温度検出センサを含んでおり、
前記コントローラは、前記土壌水分、前記土壌温度、前記土壌中酸素及び前記表面温度に応じて前記水の供給を制御する、
請求項１又は２に記載の灌水システム。
【請求項４】
前記複数のパイプのそれぞれを通る水に肥料を供給する肥料供給装置を備える、
請求項１〜３のいずれか一項に記載の灌水システム。
【発明の詳細な説明】
【技術分野】
【０００１】
本発明は、天然芝グラウンドに灌水を行う灌水システムに関する。
【背景技術】
【０００２】
従来から、天然芝グラウンドに灌水を行う灌水システムとしては種々のものが知られている。特許文献１には、天然芝の競技場の構造及び保守方法が記載されている。この構造は、複数のフレームと、複数のフレーム上に設けられる複数の矩形枠状のパレットと、各パレットにおいて育成されると共に外部に露出する天然芝とを備える。複数のフレームの下には、液体肥料を噴霧する複数の噴霧ノズルと、基礎地盤上に設けられて過剰な液体肥料を回収する回収パンとが設けられる。特許文献１の保守方法では、スポーツイベント等によって天然芝が損傷したときに、天然芝とパレットとを共に交換することにより、天然芝を利用できない期間を減らすことを可能としている。
【０００３】
特許文献２には、グラウンドの環境を制御するシステムが記載されている。特許文献２において、グラウンドは複数の地区に分けられており、複数の地区のそれぞれに配水管が引き延ばされている。各配水管は１つの給水ポンプに連結されており、給水ポンプから各配水管に向かう途中に弁装置が設けられている。弁装置は、複数の配水管のそれぞれに設けられる。また、グラウンドには温度及び湿度等を検出する複数のセンサが設けられており、各センサによって検出された結果に応じて複数の弁装置のそれぞれが制御される。すなわち、各弁装置が温度及び湿度等に応じて開閉されることにより、各配水管への水の供給が制御される。各配水管には細霧噴霧ノズルが設けられており、各配水管に供給された水は細霧噴霧ノズルからグラウンドに散布される。
【０００４】
特許文献３には、競技用のコートに用いられる競技場用芝セットシステムが記載されている。競技用のコートには、格子状のグリッドと、グリッドの上部に充填された土壌と、土壌において生育する生芝とを備えたコート本体が設けられる。コート本体は、ドーム式屋内競技場に敷設され、適宜にコートラインが施されることにより野球、サッカー、アメリカンフットボール、ゴルフ又はゲートボール等の競技が行われる。競技の前後には、肥料を含む水が散水され、この水は上から土壌に供給されて生芝への給水に用いられる。
【先行技術文献】
【特許文献】
【０００５】
【特許文献１】特開平７−２６５４８８号公報
【特許文献２】特開２００６−１７７１３０号公報
【特許文献３】特開平６−１５３６８５号公報
【発明の概要】
【発明が解決しようとする課題】
【０００６】
前述したように、天然芝グラウンドには、上から水が天然芝に供給される。ところで、例えば夏場には、水がすぐに乾いてしまうため、天然芝グラウンドで競技が行われている最中に水の供給が求められる場合がある。しかしながら、前述したように水及び肥料を上から供給する場合、天然芝グラウンドで競技をしている最中には水の供給を行うことができない。
【０００７】
本発明は、前述した問題に鑑みてなされたものであり、天然芝グラウンドで競技を行っている最中に天然芝グラウンドへの水の供給を行うことができる灌水システムを提供することを目的とする。
【課題を解決するための手段】
【０００８】
本発明に係る灌水システムは、複数の領域に区分けされた天然芝グラウンドに対し、各領域に灌水を行う灌水システムであって、天然芝グラウンドの各領域の地下に埋め込まれると共に、内部に水が通り、水が地下に滲出する孔を有する複数のパイプと、領域ごとに設けられて各領域の土壌水分、土壌温度及び土壌中酸素を検出する複数のセンサユニットと、複数のセンサユニットのそれぞれによって検出された土壌水分、土壌温度及び土壌中酸素に応じて複数のパイプのそれぞれへの水の供給を制御するコントローラと、を備える。
【０００９】
この灌水システムでは、複数の領域に区分けされた天然芝グラウンドにおいて、各領域の地下に埋め込まれた複数のパイプの孔から地下に水が滲出する。よって、地下に埋め込んだパイプから水が滲出することにより、天然芝グラウンドへの水の供給を競技中に行うことができる。また、例えばパイプから地下に勢いよく水を噴射した場合には、地中の砂等が動いて空洞ができる可能性がある。これに対し、この灌水システムでは、複数のパイプの孔から地下に水を滲出させるので、地下にゆっくりと水を供給することにより、地下に空洞ができる問題を回避することができる。また、領域ごとに水の供給を行うことにより、必要な領域のみに水の供給を行うことができる。更に、この灌水システムでは、領域ごとに設けられた複数のセンサユニットのそれぞれが土壌水分、土壌温度及び土壌中酸素を検出し、検出された土壌水分、土壌温度及び土壌中酸素に応じてコントローラが水の供給を領域ごとに制御する。従って、検出された土壌水分、土壌温度及び土壌中酸素に応じて領域ごとに水の供給を制御するので、実際の土壌水分、土壌温度及び土壌中酸素に応じて水の供給を適切に行うことができる。その結果、競技中であっても各領域への水の供給を適切に行うことができる。また、地下から各領域への水の供給を行うことにより、水の供給制御によって各領域の土壌の温度を制御することができる。従って、土壌の温度を制御して土壌の有機物を分解するバクテリアの生育を促進することができるので、土壌に未分解の有機物が溜まって土壌の通気性及び透水性が低下する問題を回避することができる。
【００１０】
また、前述の灌水システムは、複数のパイプのそれぞれを通る水に気泡を供給する気泡供給装置を備えてもよい。ところで、例えば土壌中の酸素の量が低下した場合、嫌気性のバクテリアが活動して土壌に有害なガスが放出される可能性がある。これに対し、前述したように、気泡供給装置が複数のパイプのそれぞれを通る水に気泡を供給する場合、土壌に供給される酸素の量を制御することができる。従って、嫌気性のバクテリアの活動を抑制して土壌に有害なガスが放出される問題を抑制することができる。
【００１１】
また、センサユニットは、天然芝グラウンドの芝生の表面温度を検出する芝生表面温度検出センサを含んでおり、コントローラは、土壌水分、土壌温度、土壌中酸素及び表面温度に応じて水の供給を制御してもよい。この場合、領域ごとに設けられた複数のセンサユニットのそれぞれが、土壌水分、土壌温度、土壌中酸素及び表面温度を検出し、検出された土壌水分、土壌温度、土壌中酸素及び表面温度に応じてコントローラが水の供給を領域ごとに制御する。従って、実際の芝生の表面温度を加味して水の供給を制御することができるので、競技中であっても領域ごとに芝生の温度管理を適切に行うことができる。
【００１２】
また、前述の灌水システムは、複数のパイプのそれぞれを通る水に肥料を供給する肥料供給装置を備えてもよい。この場合、水と共に肥料を土壌に供給できるので、競技中であっても天然芝グラウンドの芝生の生育を促進させることができる。
【発明の効果】
【００１３】
本発明によれば、天然芝グラウンドで競技を行っている最中に天然芝グラウンドへの水の供給を行うことができる。
【図面の簡単な説明】
【００１４】
【図１】実施形態に係る灌水システムが適用される天然芝グラウンドの一例である野球場を示す平面図である。
【図２】図１の灌水システムの構成を模式的に示す図である。
【図３】図１の天然芝グラウンドの縦断面の一例を示す図である。
【図４】図３の天然芝グラウンドの地下に埋め込まれたパイプの例を示す側面図である。
【図５】図４のパイプの例を示す横断面図である。
【図６】図１の灌水システムを示すブロック図である。
【発明を実施するための形態】
【００１５】
以下では、図面を参照しながら、本発明に係る灌水システムの実施形態について説明する。図面の説明において、同一又は相当する要素には同一の符号を付し、重複する説明を適宜省略する。また、図面は、理解を容易にするため、一部を簡略化又は誇張して描いている場合があり、寸法等は図面に記載のものに限定されない。
【００１６】
図１は、実施形態に係る灌水システム１を備える天然芝グラウンド１０の例を示す野球場Ｇの平面図である。図２は、灌水システム１の構成を模式的に示す図である。図１及び図２に示されるように、天然芝グラウンド１０は、例えば、競技又はイベントが行われる場所であり、耕作が行われる農地等とは異なる。灌水システム１は、天然芝グラウンド１０の地下に水を供給して灌水を行う地下灌水システムであり、例えば地上から通常散水できない緊急時に用いられてもよい。灌水システム１は、天然芝グラウンド１０に灌水を行う芝灌水システムであると共に、天然芝グラウンド１０の環境を制御する芝生床土環境コントロールシステムである。
【００１７】
野球場Ｇは、例えば、７つの領域Ａ１〜Ａ７に区分けされている。領域Ａ１〜Ａ７は、芝草の生育状況、日射状況及び使用状況に応じて区分けされている。野球場Ｇでは、例えば、春季から秋季までの間には野球が行われ、冬季にはイベントが行われる。イベントとは、競技以外の集客できる催しを示しており、例えば、コンサート、フェス又は見本市等を含んでいる。このように、野球場Ｇは、野球等の競技だけでなくイベント会場としても使用される。なお、野球場Ｇでは、野球以外の競技が行われてもよい。また、野球場Ｇは、例えば、開閉式のドーム球場であるが、開閉式でないドーム球場であってもよいし、ドームが無い球場であってもよい。
【００１８】
一例として、領域Ａ１は内野、領域Ａ２，Ａ３は外野の内側（内野側）、領域Ａ４〜Ａ７は外野の外側（外野フェンス側）、に位置する。一般的に、領域Ａ２〜Ａ７（外野）は、領域Ａ１よりも荒れやすい領域である。また、領域Ａ２及び領域Ａ３は、この順でレフトからライトに向かって並んでおり、領域Ａ４、領域Ａ５、領域Ａ６及び領域Ａ７も、この順でレフトからライトに向かって並んでいる。但し、これらの領域Ａ１〜領域Ａ７の区分けは、一例であり、適宜変更可能である。灌水システム１は、野球場Ｇの複数の領域Ａ１〜Ａ７のそれぞれに個別に灌水を行う。
【００１９】
灌水システム１は、水を貯める貯水槽２と、貯水槽２からの水が流れ込む貯留槽３と、貯留槽３からの水を領域Ａ１〜Ａ７のそれぞれに圧送するポンプ４と、領域Ａ１〜Ａ７への水の流路を開閉する複数の電磁弁７とを備える。なお、図２では、領域Ａ１〜Ａ７のうち、領域Ａ３〜Ａ７の図示を省略しているが、領域Ａ３〜Ａ７は領域Ａ１，Ａ２と同様に設けられる。
【００２０】
貯水槽２は、野球場Ｇの領域Ａ１〜Ａ７のそれぞれに供給する水を貯留する槽である。貯水槽２は、貯留槽３、ポンプ４及び電磁弁７を介して領域Ａ１〜Ａ７のそれぞれの地下に供給する水を貯留する。貯水槽２は、更に、領域Ａ１〜Ａ７のそれぞれに地上から通常散水するための水を貯留してもよく、この場合、貯水槽２から通常散水ラインに水が供給される。貯水槽２からは、地下灌水システムである灌水システム１を介して地下から天然芝グラウンド１０に水が供給されると共に、地上からの通常散水によって天然芝グラウンド１０に水が供給される。
【００２１】
貯水槽２と貯留槽３の間には、貯水槽から２の水が貯留槽３に流れる第１管路Ｌ１が設けられており、貯留槽３には、肥料供給装置５及び気泡供給装置６のそれぞれが接続されている。肥料供給装置５は、例えば、貯留槽３に液肥を供給する装置であり、液肥を水に混合する液肥等混合装置である。肥料供給装置５は、貯留槽３に薬剤を供給してもよい。この薬剤は、殺虫剤であってもよく、この場合、天然芝グラウンド１０の害虫を駆除することが可能となる。このように、肥料供給装置５は、貯留槽３の水に肥料及び薬剤を供給してもよい。
【００２２】
気泡供給装置６は、貯留槽３の水に気泡（気体）を供給する装置である。気泡供給装置６が貯留槽３の水に供給する気体は空気（通常大気）又は純酸素である。例えば、気泡供給装置６は、平時は貯留槽３の水に窒素と酸素の体積比が４：１である空気を供給し、非常時は貯留槽３の水に純酸素を供給する。気泡供給装置６は、貯留槽３の水に酸素を含むナノバブルを供給するナノバブル投入装置であってもよい。
【００２３】
この場合、ナノバブルは、超微細気泡であって浮力が小さく水中で静止状態を保つため、水から気泡が長期間抜けないようにすることが可能である。従って、領域Ａ１〜Ａ７のそれぞれに、気泡供給装置６からの気泡が供給された水を確実に送り込むことができる。気泡供給装置６から供給される気泡は、目で見えない程度に径が小さいウルトラファインバブル（登録商標）であってもよい。
【００２４】
貯留槽３は、肥料供給装置５からの肥料、及び気泡供給装置６からの気泡が供給された水を貯留する槽である。すなわち、貯留槽３は肥料及び気泡を含む水を貯留する。貯留槽３は薬剤を含む水を貯留してもよい。貯留槽３で肥料及び気泡等が供給された水を貯留することにより、緊急時等に速やかに領域Ａ１〜Ａ７のそれぞれに水を供給することが可能となる。
【００２５】
貯留槽３と領域Ａ１〜Ａ７のそれぞれとの間には、貯留槽３からの水が領域Ａ１〜Ａ７のそれぞれに流れる第２管路Ｌ２が設けられており、第２管路Ｌ２にはポンプ４及び複数の電磁弁７が設けられる。電磁弁７は、第２管路Ｌ２において領域Ａ１〜Ａ７のそれぞれに枝分かれした部分のそれぞれに設けられており、領域Ａ１〜Ａ７のそれぞれへの水の流れを制御する。
【００２６】
領域Ａ１〜Ａ７のそれぞれには、第２管路Ｌ２に連結されたヘッダー管８と、ヘッダー管８から延び出す複数のパイプ９とが設けられる。ヘッダー管８は、複数のパイプ９を束ねるヘッダー管である。また、領域Ａ１〜Ａ７のそれぞれでは複数のパイプ９が張り巡らされている。すなわち、複数のパイプ９は、領域Ａ１〜Ａ７のそれぞれにおいて全体にわたるように配置されている。これにより、領域Ａ１〜Ａ７のそれぞれにおいて満遍なく且つ均一に水を供給することが可能となる。なお、パイプ９の構成については後に詳述する。
【００２７】
図３は、天然芝グラウンド１０の層構造の一例を示す縦断面図である。図３に示されるように、天然芝グラウンド１０は、例えば、天然芝である芝生１１と、芝生１１が植え込まれる砂層１２と、砂層１２の下に位置する砂利層１３とを備える。砂層１２及び砂利層１３は、芝生１１が植え込まれる土壌Ｂを構成する。なお、土壌の構成は、砂層１２及び砂利層１３を備える土壌Ｂに限られず、適宜変更されうる。
【００２８】
砂層１２は、混合砂が含まれる層であり、砂層１２の砂の粒径は砂利層１３の砂利の粒径よりも小さい。砂層１２は、芝生１１の生育空間を構成する層であり、芝生１１の根が張る層である。砂層１２には複数の温度調整パイプ１５が埋め込まれており、各温度調整パイプ１５の内部に熱媒体を供給することによって土壌Ｂの温度が調整される。温度調整パイプ１５は、例えば、３月、４月、１０月又は１１月等、比較的寒冷なときには土壌Ｂを加熱して、７月又は８月等、暑いときには土壌Ｂを冷却する。
【００２９】
砂層１２と砂利層１３の間には、目潰し砂利１４が設けられており、目潰し砂利１４によって砂利層１３に含まれる砂利の間の隙間が埋められている。目潰し砂利１４は、例えば、水と空気のみを通す層を構成する。砂層１２と砂利層１３の間に目潰し砂利１４が設けられることにより、砂利層１３に含まれる砂利の間に砂層１２の砂が落下することが抑制されるので、土壌Ｂの不陸を防止することが可能となる。砂層１２には、前述した複数のパイプ９が埋め込まれている。砂利層１３と比較して空隙が小さい砂層１２にパイプ９が埋め込まれることにより、パイプ９から供給される水Ｗを下降しにくくして芝生１１に効率よく水Ｗを供給することができる。すなわち、パイプ９からの水Ｗを毛管水として確実に芝生１１に届かせることができる。
【００３０】
図２、図３及び図４に示されるように、各パイプ９は、天然芝グラウンド１０の各領域Ａ１〜Ａ７の地下に埋め込まれる。図４はパイプ９の側面図である。パイプ９の内部には貯留槽３からの水Ｗが通る。パイプ９は、例えば円筒状を成しており、水Ｗが地下に滲出する複数の孔９ａを有する有孔管である。孔９ａはパイプ９を径方向に貫通しており、この孔９ａからパイプ９の外部に水Ｗが滲出する。一例として、孔９ａはパイプ９において均一に配置されており、複数の孔９ａがパイプ９の長さ方向及び周方向において一定間隔ごとに配置されていてもよい。
【００３１】
本明細書において、水が滲出するとは、水が滲み出ることを示しており、水を噴射させることとは異なる。前述したように、水Ｗが天然芝グラウンド１０の地下に滲出することにより、地中の砂等の移動を抑えつつ水Ｗが天然芝グラウンド１０の地下に供給される。すなわち、水Ｗは、天然芝グラウンド１０の地中の砂等が動かない程度の強さで天然芝グラウンド１０の地下に供給される。
【００３２】
図５に示されるように、パイプ９の少なくとも一部は、布状のスポンジ部材９ｂに巻き付けられてもよい。スポンジ部材９ｂは、例えば、一定量の水Ｗを蓄えることが可能な部材であって、スポンジ部材９ｂから均一に水Ｗを滲出させる。このように、パイプ９の少なくとも一部がスポンジ部材９ｂに巻き付けられる場合、領域Ａ１〜Ａ７のそれぞれの地下に一層均一に水Ｗを滲出させることができる。その結果、水Ｗの供給の偏りをより確実に抑えることができる。
【００３３】
図２及び図６に示されるように、領域Ａ１〜Ａ７のそれぞれにはセンサユニット２０が設けられる。灌水システム１は、センサユニット２０、電磁弁７及びコントローラ３０を更に備える。図６では、１つのセンサユニット２０、及び１つの電磁弁７を図示しているが、センサユニット２０及び電磁弁７は、共に、領域Ａ１〜Ａ７のそれぞれに設けられる。センサユニット２０は、例えば、土壌Ｂの土壌温度を検出する地温センサ２１と、土壌Ｂの土壌中酸素を検出する酸素センサ２２と、土壌Ｂの土壌水分を検出する土壌水分センサ２３と、芝生１１の表面温度を検出する芝生表面温度検出センサ２４と、芝生１１の光合成活性度を評価するリモートセンサーカメラ２５とを含む。
【００３４】
地温センサ２１は、例えば、土壌Ｂに挿し込まれた状態で土壌Ｂの地中の温度を検出する。酸素センサ２２は土壌Ｂの内部の土壌中酸素の濃度を検出し、土壌水分センサ２３は土壌Ｂに挿し込まれた状態で土壌Ｂの土壌水分を検出する。芝生表面温度検出センサ２４は、例えば、芝生１１の上に設けられる表面温度測定用センサであり、リモートサーモカメラであってもよい。
【００３５】
以上のように、地温センサ２１、酸素センサ２２、土壌水分センサ２３、芝生表面温度検出センサ２４及びリモートセンサーカメラ２５のそれぞれが土壌温度、土壌中酸素、土壌水分、表面温度及び光合成活性度を検出することにより、領域Ａ１〜Ａ７ごとに設けられた各センサユニット２０は、土壌温度、土壌中酸素、土壌水分、表面温度及び光合成活性度を取得する。各センサユニット２０が取得した土壌温度、土壌中酸素、土壌水分、表面温度及び光合成活性度は、コントローラ３０に出力される。
【００３６】
コントローラ３０は、例えば、汎用のパーソナルコンピュータであってもよく、ＣＰＵ（CentralProcessing Unit）、ＲＯＭ（Read Only Memory）及びＲＡＭ（Random Access Memory）を備える。コントローラ３０の各機能は、例えば、ＲＯＭに記憶されているプログラムをＲＡＭにロードし、ＣＰＵで実行することによって実現される。コントローラ３０は、各センサユニット２０から入力された土壌温度、土壌中酸素、土壌水分、表面温度及び光合成活性度に基づいて、領域Ａ１〜Ａ７のそれぞれに向かう第２管路Ｌ２の水の流れを制御する。
【００３７】
コントローラ３０は、領域Ａ１〜Ａ７のそれぞれに対応して設けられた電磁弁７、気泡供給装置６及び肥料供給装置５に通信可能とされている。コントローラ３０は、検出された土壌温度、土壌中酸素、土壌水分、表面温度及び光合成活性度に基づいて、領域Ａ１〜Ａ７のそれぞれに設けられた電磁弁７、気泡供給装置６及び肥料供給装置５に制御信号を出力する。コントローラ３０は、肥料供給装置５及び気泡供給装置６のそれぞれに対応して設けられたバルブに制御信号を出力する。また、コントローラ３０は、各電磁弁７に制御信号を出力して各第２管路Ｌ２の水量を調整することにより、領域Ａ１〜Ａ７のそれぞれへの水の量を制御する。
【００３８】
例えば、コントローラ３０は、検出された土壌温度若しくは表面温度が所定値よりも高いとき、又は検出された土壌水分が所定値よりも少ないときに水の量を増やす制御信号を電磁弁７に出力する。また、コントローラ３０は、検出された土壌中酸素が所定値よりも少ないときに気泡の量を増やす制御信号を気泡供給装置６に出力し、検出された光合成活性度が所定値よりも低いときに肥料の量を増やす制御信号を肥料供給装置５に出力してもよい。このように、コントローラ３０が肥料供給装置５、気泡供給装置６及び電磁弁７のそれぞれに制御信号を出力することにより、領域Ａ１〜Ａ７のそれぞれの土壌Ｂにおける温度、酸素、水分及び光合成活性度が調整される。
【００３９】
次に、本実施形態に係る灌水システム１の作用効果について詳細に説明する。本実施形態に係る灌水システム１では、図１、図２及び図３に示されるように、領域Ａ１〜Ａ７に区分けされた天然芝グラウンド１０において、各領域Ａ１〜Ａ７の地下に埋め込まれた複数のパイプ９の孔９ａから地下に水Ｗが滲出する。よって、地下に埋め込んだパイプ９から水Ｗが滲出することにより、天然芝グラウンド１０への水Ｗの供給を競技中に行うことができる。
【００４０】
また、例えばパイプから地下に勢いよく水を噴射した場合には、地中の砂等が動いて空洞ができる可能性がある。これに対し、灌水システム１では、複数のパイプ９の孔９ａから地下に水Ｗを滲出させるので、地下にゆっくりと水Ｗを供給することにより、地下に空洞ができる問題を回避することができる。また、領域Ａ１〜Ａ７ごとに水Ｗの供給を行うことにより、領域Ａ１〜Ａ７のうち必要な領域のみに水Ｗの供給を行うことができる。
【００４１】
更に、灌水システム１では、領域Ａ１〜Ａ７ごとに設けられた複数のセンサユニット２０のそれぞれが土壌水分、土壌温度及び土壌中酸素を検出し、検出された土壌水分、土壌温度及び土壌中酸素に応じて水Ｗの供給を適切に行うことができる。その結果、競技中であっても各領域Ａ１〜Ａ７への水Ｗの供給を適切に行うことができる。また、地下から各領域Ａ１〜Ａ７に対する水Ｗの制御を行うことにより、水Ｗの供給制御によって各領域Ａ１〜Ａ７の土壌Ｂの温度を制御することができる。従って、土壌Ｂの温度を制御して土壌Ｂの有機物を分解するバクテリアの生育を促進することができるので、土壌Ｂに未分解の有機物が溜まって土壌Ｂの通気性及び透水性が低下する問題を回避することができる。
【００４２】
また、灌水システム１は、複数のパイプ９のそれぞれを通る水Ｗに気泡を供給する気泡供給装置６を備える。ところで、例えば土壌中の酸素の量が低下した場合、嫌気性のバクテリアが活動して土壌に有害なガスが放出される可能性がある。これに対し、前述したように、気泡供給装置６が複数のパイプ９のそれぞれを通る水Ｗに気泡を供給する場合、土壌Ｂに供給される酸素の量を制御することができる。従って、嫌気性のバクテリアの活動を抑制して土壌Ｂに有害なガスが放出される問題を回避することができる。
【００４３】
また、図２及び図６に示されるように、センサユニット２０は、天然芝グラウンド１０の芝生１１の表面温度を検出する芝生表面温度検出センサ２４を含んでおり、コントローラ３０は、土壌水分、土壌温度、土壌中酸素及び表面温度に応じて水Ｗの供給を制御する。よって、領域Ａ１〜Ａ７ごとに設けられた複数のセンサユニット２０のそれぞれが、土壌水分、土壌温度、土壌中酸素及び芝生１１の表面温度を検出し、検出された土壌水分、土壌温度、土壌中酸素及び芝生１１の表面温度に応じてコントローラ３０が水Ｗの供給を領域Ａ１〜Ａ７ごとに制御する。従って、実際の芝生１１の表面温度を加味して水Ｗの供給を制御することができるので、競技中であっても領域Ａ１〜Ａ７ごとに芝生１１の温度管理を適切に行うことができる。
【００４４】
また、センサユニット２０は、天然芝グラウンド１０の芝生１１の光合成活性度を検出するリモートセンサーカメラ２５を含んでおり、コントローラ３０は、少なくとも、土壌水分、土壌温度、土壌中酸素及び光合成活性度に応じて水Ｗの供給を制御する。よって、芝生１１の光合成活性度をリモートセンサーカメラ２５が検出し、検出された光合成活性度に応じてコントローラ３０が水Ｗの供給制御を行う。従って、実際の芝生１１の光合成活性度に基づいた水Ｗの制御が可能となるので、芝生１１の管理をより適切に行うことができる。
【００４５】
また、灌水システム１は、複数のパイプ９のそれぞれを通る水Ｗに肥料を供給する肥料供給装置５を備える。従って、肥料が含まれた水Ｗを土壌Ｂに供給できるので、競技中であっても天然芝グラウンド１０の芝生１１の生育を促進させることができる。更に、地下に供給される水Ｗに薬剤が含まれてもよく、この場合、土壌Ｂの深い所に存在するコガネムシ等の害虫を駆除することができる。このように地下の深くに存在する害虫を効果的に駆除することができる。
【００４６】
以上、本発明に係る灌水システムの実施形態について説明したが、本発明は、前述した実施形態に限定されるものではなく、各請求項に記載した要旨を変更しない範囲において変形してもよい。すなわち、灌水システムの各部の機能及び配置態様は、上記の要旨を逸脱しない範囲において適宜変更可能である。
【００４７】
例えば、前述の実施形態では、貯水槽２、貯留槽３、ポンプ４、肥料供給装置５、気泡供給装置６、電磁弁７、ヘッダー管８及びパイプ９を備えた灌水システム１について説明した。しかしながら、貯水槽２、貯留槽３、ポンプ４、肥料供給装置５、気泡供給装置６、電磁弁７、ヘッダー管８及びパイプ９の構成、数及び配置態様は適宜変更可能である。また、貯水槽２、貯留槽３、ポンプ４、肥料供給装置５、気泡供給装置６、電磁弁７、ヘッダー管８及びパイプ９の少なくともいずれかが変更又は省略された灌水システムであってもよく、灌水システムの各部の構成は適宜変更可能である。
【００４８】
また、前述の実施形態では、土壌水分、土壌温度、土壌中酸素、表面温度及び光合成活性度に基づいて水Ｗの供給が制御される例について説明した。しかしながら、表面温度及び光合成活性度の少なくともいずれかを省略してもよく、土壌水分、土壌温度及び土壌中酸素のみに基づいて水Ｗの供給が制御されてもよい。
【００４９】
また、前述の実施形態では、芝生１１が植えられた土壌Ｂに目潰し砂利１４及び温度調整パイプ１５が設けられる例について説明した。しかしながら、芝生１１が植えられる土壌に設けられる構成は、目潰し砂利１４及び温度調整パイプ１５に限られず、適宜変更可能である。
【００５０】
また、前述の実施形態では、野球場Ｇの天然芝グラウンド１０に灌水を行う灌水システム１について説明したが、この灌水の方法及び態様は適宜変更可能である。例えば、芝生１１を冷却して芝生１１を冬眠状態（芝生１１の代謝を低下させた状態）にしているときに気泡供給装置６が水Ｗに空気を供給してもよい。また、天然芝グラウンドは、野球場Ｇとは異なる形状及び大きさを備える野球場に設けられていてもよいし、区分けに関しては領域Ａ１〜Ａ７とは異なる区分けであってもよい。更に、本発明に係る灌水システムは、野球場以外の場所にも適用可能であり、例えば、サッカー場、ラグビー場、テニスコート、ゴルフ場、若しくは陸上競技場等の他の天然芝グラウンド、又は、競技場以外の天然芝グラウンドの灌水が必要な場所にも適用することが可能である。
【符号の説明】
【００５１】
１…灌水システム、２…貯水槽、３…貯留槽、４…ポンプ、５…肥料供給装置、６…気泡供給装置、７…電磁弁、８…ヘッダー管、９…パイプ、９ａ…孔、９ｂ…スポンジ部材、１０…天然芝グラウンド、１１…芝生、１２…砂層、１３…砂利層、１４…目潰し砂利、１５…温度調整パイプ、２０…センサユニット、２１…地温センサ、２２…酸素センサ、２３…土壌水分センサ、２４…芝生表面温度検出センサ、２５…リモートセンサーカメラ、３０…コントローラ、Ａ１〜Ａ７…領域、Ｂ…土壌、Ｇ…野球場、Ｌ１…第１管路、Ｌ２…第２管路、Ｗ…水。
【図１】
2018166505.tif 000003
【図２】
2018166505.tif 000004
【図３】
2018166505.tif 000005
【図４】
2018166505.tif 000006
【図５】
2018166505.tif 000007
【図６】
2018166505.tif 000008